(57)【要約】      （修正有）【課題】葉詰め作業時のフォークラックを葉詰め作業の邪魔にならずに安定的に仮置きして安全性を向上し、フォークラックの仮置き・抜取り作業も造作なく行なえる葉詰め作業台を提供する。【解決手段】テーブル２の支持台内空間を利用して葉詰め作業空間Ｄ側からフォークラックｂ２を斜め上向きに抜取り可能に支承するラック受け棚７を設ける。ラック受け棚７を、フォークラックｂ２の長さ間隔をおいて対向し同空間Ｄ側から下向き傾斜状とする一対のＬ形片１７、１７の下端に突き当て片を対向方向に折曲形成すると共に傾斜上端にガイド片を外向き傾斜状に折曲形成して、フォークラックｂ２をそのラック受け棚７に落とし込み可能で且つ抜き差し可能に支承する。【選択図】図１
0003110125.tif 000002
【実用新案登録請求の範囲】
【請求項１】
受けラックとフォークラックとを備えた葉たばこ吊り具を載承して葉詰め作業を行う葉詰め作業台において、テーブルの支持台にフォークラックを抜き差し可能に仮置きする斜め下向きなラック受け棚を設けたことを特徴とする葉詰め作業台。
【請求項２】
前記ラック受け棚は、葉詰め作業空間側からフォークラックを斜め下向きに落とし込み可能で且つ斜め上向きに抜取り可能に支承する構成にしてあることを特徴とする請求項１記載の葉詰め作業台。
【請求項３】
前記ラック受け棚は、フォークラックの長さ間隔をおいて対向し葉詰め作業空間側から下向き傾斜状をもって設けられた一対のＬ形片の下端に突き当て片を対向方向に折曲形成すると共に傾斜上端にガイド片を外向き傾斜状に折曲形成して、前記一対のＬ形片のその横片をフォークラックの支承部、その縦片を同フォークラック端部側面が接近もしくは当接するガタツキ防止部、前記突き当て片をフォークラック下端の当り部にして、前記ラック受け棚に対してフォークラックを斜め下向きに落とし込み可能で且つ斜め上向きに抜取り可能に支承するようにしたことを特徴とする請求項２記載の葉詰め作業台。
【請求項４】
前記一対のＬ形片を、支持台内空間を利用してその一部または全部を位置させたことを特徴とする請求項１〜３いずれか１項記載の葉詰め作業台。
【考案の詳細な説明】
【技術分野】
【０００１】
本考案は葉たばこを乾燥室に吊り込むために、収穫した葉たばこを葉たばこ吊り具に葉詰め作業を行うために使用される葉詰め作業台に関するものである。
【背景技術】
【０００２】
従来、葉詰め作業台には、ロック解除可能な車輪で移動可能になっているテーブルと、そのテーブルの後縁に沿って葉詰め作業時の起立状に設けられる葉柄当て部と、テーブルの前方に沿って水平状態から下向きに回動可能に構成された葉受け体とを備え、その葉受け体の左右両端部に配設され葉たばこ吊具の左右両端部を載承する載承部とを備えたものが基本的構成になっている。
その葉たばこ吊り具としては、夫々２本のフレームを平行に連結することにより構成されるフォークラックと受けラックとからなり、前記フォークラックの両フレームに沿って多数の長針を同一方向に向けて植設すると共にそのフォークラックの左右両端に吊り込みローラを設け、前記テーブル上の受けラックに葉柄当て部側から並べて積み重ねた葉たばこの葉柄側に長針が刺し込まれるようにフォークラックを上方から押し付けた後、両ラックの両端部を互いに連結具で分離可能に連結するようになっている。
そして、前記のようにその葉詰め作業台上で葉たばこを葉詰めした後、葉受け体を水平状態から下向きに回動させて葉詰めされた葉たばこの葉柄が上向きに、葉先が下向きになるように葉たばこ吊り具を、葉受け体の両側に設けた載承部に載承し、その葉たばこ吊具を水平方向に押し出すことによって吊り込みローラが載承部上で滑動してストック台や吊り込み装置に送り込まれるようになっている。
【０００３】
ところで、前記葉詰め作業台を使用しての葉詰め作業は、フォークラックを作業者の足元に置いた状態で前記のように受けラックへの積み重ねが実施される。
そのため、そのフォークラックが葉詰め作業を邪魔するばかりでなく、誤ってフォークラックを作業者が踏みつけて、その長針で怪我をすることがあり、大変危険なものであった。
【特許文献１】特開２００４−１９４５４７号
【考案の開示】
【考案が解決しようとする課題】
【０００４】
本考案は上記従来事情に鑑みてなされたもので、その目的とする処は葉詰め作業時のフォークラックを葉詰め作業の邪魔にならずに仮置きして安全性が向上する葉詰め作業台を提供することにある。
他の目的とする処は、フォークラックを安定的に仮置きでき、しかも仮置き・抜取り作業が造作なく簡単に行なえる葉詰め作業台を提供することにある。
そして、更に他の目的とする処は、作業者が動作する葉詰め作業空間を広く確保できる葉詰め作業台を提供することにある。
【課題を解決するための手段】
【０００５】
前記課題を解決するために講じた技術的手段は、受けラックとフォークラックとを備えた葉たばこ吊り具を載承して葉詰め作業を行う葉詰め作業台において、テーブルの支持台にフォークラックを抜き差し可能に仮置きする斜め下向きなラック受け棚を設けたことを特徴とする葉詰め作業台（請求項１）。
前記ラック受け棚は、葉詰め作業空間側からフォークラックを斜め下向きに落とし込み可能で且つ斜め上向きに抜取り可能に支承する構成にしてあると好適なものである（請求項２）。
【０００６】
以上の手段によれば、葉詰め作業中のフォークラックを葉詰め作業台に設けた棚に取り出せるように仮置きしておくことができる。
そして、葉詰め作業空間側からフォークラックを斜め下向きに落とし込み可能で且つ斜め上向きに抜取り可能に支承する構成にすると、フォークラックの仮置き・抜取りをたやすくする。
【０００７】
そして、前記ラック受け棚は、フォークラックの長さ間隔をおいて対向し葉詰め作業空間側から下向き傾斜状をもって設けられた一対のＬ形片の下端に突き当て片を対向方向に折曲形成すると共に傾斜上端にガイド片を外向き傾斜状に折曲形成して、前記一対のＬ形片のその横片をフォークラックの支承部、その縦片を同フォークラック端部側面が接近もしくは当接するガタツキ防止部、前記突き当て片をフォークラック下端の当り部にして、前記ラック受け棚に対してフォークラックを斜め下向きに落とし込み可能で且つ斜め上向きに抜取り可能に支承するようにしていると好ましいものである（請求項３）。
【０００８】
以上の手段によれば、フォークラック落とし込み時に棚に対するフォークラック左右方向の相対位置にズレが生じていてもフォークラックをそのガイド片の案内機能で棚へと導くことができる。
そして、その棚の下向き傾斜状の形状性とその一対の縦片で構成されるガタツキ防止部で、葉詰め作業時に生じる葉たばこ積み重ね時に生じる積み重ね力で作業台自体が揺れるようなことがあっても、そのフォークラックを安定して支承する。
【０００９】
また、前記一対のＬ形片が支持台内空間を利用してその一部または全部を位置させた構成を採用していると、その棚を、テーブルの支持台内スペースを有効利用して仮置きしておくことができる（請求項４）。
【考案の効果】
【００１０】
（請求項１）
葉詰め作業台においてテーブルの支持台にフォークラックを抜き差し可能に仮置きする斜め下向きなラック受け棚を設けているから、作業者が葉詰め作業の最中に誤って長針を踏みつけて怪我をすることがなく、非常に安全である。
【００１１】
（請求項２）
しかも、受けラックへのフォークラックの仮置きが葉詰め作業空間側から無理な姿勢を強いず造作なく行え、抜取りも手を伸ばして葉詰め作業空間側に抜き取るだけで難なく行える。
【００１２】
（請求項３）
しかも、フォークラック落とし込み時に棚に対するフォークラック左右方向の相対位置にズレが生じていても、棚に外向き傾斜状に設けた一対のガイド片の機能でフォークラックを棚へと確実に導けるし、棚の下向き傾斜状の形状性と、その一対の縦片で構成されるガタツキ防止部とで、葉詰め作業時の葉たばこ押圧力で作業台自体が揺れるようなことがあっても、フォークラックの仮置き状態を安定状態に保持しておくことができる。
【００１３】
（請求項４）
また、フォークラックの葉詰め作業空間への突出を抑制でき、葉詰め作業の支障にならない。
【考案を実施するための最良の形態】
【００１４】
次に、本考案葉詰め作業台の実施形態を説明する。
【実施例１】
【００１５】
図１〜図５に基づいて説明すると、符号Ａは、その葉詰め作業台である。
葉詰め作業台Ａは、図１、図２に示すようにキャスターＣで移動可能になっており、支持台１にテーブル２を支持し、その支持台２の後縁に沿って葉詰め作業時に葉柄を当てる葉柄当て板３を立設し、テーブル２の前方に沿って水平状態から下向きに葉受け体４を回動可能に設け、その葉受け体４と支持台１とに亘って緩衝手段（ダンパー機構）５を架設して、その緩衝手段５で葉受け体４を支持し、その葉受け体４の左右両端部に葉たばこ吊り具Ｂの左右両端部を載承する載承部６を備えた今日公知の基本的構成（特開２００４−１９４５４７号等）のものを図示している。
そして、この葉詰め作業台Ａでは、図２に示すように、葉たばこ吊り具Ｂの受けラックｂ１をテーブル２に載承し、葉柄を葉柄当て板３に当接させた状態で葉たばこをその受けラックｂ１上に積み重ねた後、葉柄側にフォークラックｂ２の長針ｂ２’を刺し込んで、両ラックｂ１、ｂ２の両端を互いにパッチン錠ｂ３等を用いて分離不能に連結してから、葉たばこ吊り具Ｂに前記緩衝手段（ダンパー機構）５の緩衝力に抗する回動力を付与して前記葉受け体４を葉先が下向きになるように水平状態から回動させて、葉たばこ吊り具Ｂの左右両端を前記載承部６に載承した後に、葉詰め作業台Ａの前方に配置したストック台Ｓに葉詰めされた葉たばこ吊り具Ｂを複数水平にストックできるようになっている。
ちなみに、ストック台Ｓの他端側には、乾燥機（図示せず）の各段の吊りレール（図示せず）に対応して昇降レール（図示せず）を高さ調整とする吊り込み装置（図示せず）が連絡されている。
尚、前記葉受け体４を葉先が下向きになるように水平状態から回動させて、葉たばこ吊り具Ｂの左右両端を載承部６に支承した後、その葉たばこ吊り具Ｂを直接吊り込み装置（図示せず）の高さ調整可能な昇降レール（図示せず）に送り込めるように連絡してあっても良いものである。
【００１６】
前記載承部６は、図１、図２に示すように支持アーム１４を前記葉受け体４から立設し、その支持アーム１４に等間隔をおいて支持ローラ２４…複数個を回転可能に軸着して構成されている。
また、前記載承部６は、図示しないが無端ベルトであっても良いものである。無端ベルトの場合には、葉受け体４を水平状態から葉柄が上向きに葉先が下向きになるように葉詰めされた葉たばこを下向きになるように回動させた際、葉たばこ吊り具Ｂの左右端部が無端ベルトに載承されるようにする。
【００１７】
この葉詰め作業台Ａを使用しての葉詰め作業は、前記葉柄当て板３後側スペースを葉詰め作業空間Ｄを使用して行われるので、テーブル２に載承される受けラックｂ１への葉たばこの積み重ね作業が終了するまでその作業の邪魔になるフォークラックｂ２を仮置きするためのラック受け棚７を、テーブル２のその支持台１に設けている。
【００１８】
前記支持台１は、本実施の形態では図１、図２に示すように横長矩形状に枠組形成されたテーブル支持枠１１の下端にキャスター付きの平行脚杆２１、２１を並設した単純な構成になっている。
【００１９】
前記ラック受け棚７は、本実施の形態では左右一対の金属製のＬ形片からなり、そのＬ形片１７、１７各々は、図１に示すようにテーブル支持枠１１の左右の縦杆３１、３１にフォークラックｂ２の長さ間隔をおいて葉詰め作業空間Ｄ側から下向き傾斜状をもって対向状に固定してある。
符号４１は、その左右一対の金属製のＬ形片１７、１７を支持する支持片であり、前記平行脚杆２１、２１から立上げられ、その上端でＬ形片１７、１７夫々を支持するようになっている。
【００２０】
その一対のＬ形片１７各々は、図４、図５に示すように、その長さをフォークラックｂ２を安定して仮置きできる所要長さに設定し、下端に突き当て片２７を対向する方向に折曲形成すると共に、上端にガイド片３７を外向き傾斜状に折曲形成して、横片４７をフォークラックｂ２の支承部、縦片５７をフォークラックｂ２端部側面が接近もしくは当接するガタツキ防止部、突き当て片２７をフォークラックｂ２下端の当り部にして、ラック受け棚７に対してフォークラックｂ２を斜め下向きに落とし込み可能で且つ斜め上向きに抜取り可能に支承する構成にしている。
【００２１】
前記突き当て片２７、ガイド片３７を有する一対のＬ形片１７各々は、支持台内空間１ａを利用してその一部または全部を収容して、仮置き状態のフォークラックｂ２が葉詰め作業空間Ｄに極力突出しないように配慮されている。
【００２２】
前記一対のＬ形片１７、１７は、両Ｌ形片に亘って突き当て片を連設する構成のものでも良いものである。
【００２３】
以上のように構成されている葉詰め作業台Ａは、テーブル２に受けラックｂ１を載せて葉たばこの積み重ね作業を行っている時に邪魔になるフォークラックｂ２を、長針ｂ２’を作業者Ｅとは逆側に向けた状態でラック受け棚７に仮置きしておくことができる。
そして、葉詰め作業空間から斜め下向きに落とし込むことによってフォークラックｂ２を簡単に仮置きすることができるし（図４参照）、手を下側に伸ばして手前に引抜く動作でフォークラックｂ２を簡単に抜取ることができる。
そして、抜取られたフォークラックｂ２を、所要の吊り込み量をもって葉たばこが積み重ねられた受けラックｂ１を被蓋するようにその上方に配置してから、両ラックｂ１、ｂ２を連結して葉詰めする。
前記左右一対のガイド片３７、３７がフォークラックｂ２をラフに位置合わせした時でも、ラック受け棚７に案内することができるので、フォークラックｂ２の仮置き作業も非常に簡単である（図５参照）。
【００２４】
尚、ラック受け棚７は、請求項１にあっては、入口のみを開放した斜め下向きな横長矩形なボックス状、前記Ｌ形片７の縦片５７上端に斜め下向きに差し入れられるフォークラックｂ２の上面に接近するラック踊り防止片を折曲形成した構成のもの等、棚としての基本的な構成を具備するもの適宜構成のものを包含するものである。
【図面の簡単な説明】
【００２５】
【図１】本実施の形態葉詰め作業台の葉詰め作業空間側からの斜視図で一部切欠して示す。
【図２】その葉詰め作業台の側面図で、一部切欠し、概略的に示す。
【図３】Ｌ形片の斜視図で、断面図と共に示す。
【図４】フォークラックの仮置きする状態を示す拡大側面図で、一部切欠して示す。
【図５】同フォークラックの仮置き状態を示す拡大平面図で、部分的に示す。
【符号の説明】
【００２６】
Ａ：葉詰め作業台          ２：テーブル
１：支持台              ｂ１：受けラック
ｂ２：フォークラック        ７：ラック受け棚
Ｄ：葉詰め作業空間      １７：Ｌ形片
４７：横片                ５７：縦片
３７：ガイド片            ２７：突き当て片 
１ａ：支持台内空間          Ｂ：葉たばこ吊り具
【図１】
0003110125.tif 000003
【図２】
0003110125.tif 000004
【図３】
0003110125.tif 000005
【図４】
0003110125.tif 000006
【図５】
0003110125.tif 000007